(57)【要約】【課題】  携帯電話の位置情報をサーバ側で収集でき、適切な広告情報を利用者に送信できるようにした位置情報収集用サーバ及び位置情報収集システムを提供する。【解決手段】  基地局情報管理サーバは、携帯電話が送信した情報を中継した基地局から基地局特定情報と携帯電話識別情報とを受信する手段と、基地局特定情報から該基地局の位置情報を抽出する手段と、前記抽出された位置情報と前記携帯電話識別情報とを位置情報収集用サーバに送信する手段とを有し、位置情報収集用サーバは、ＵＲＬに基づき、携帯電話から送信されたＵＲＬ情報と携帯電話識別情報とを基地局情報管理サーバから受信する手段と、携帯電話から発信された電波を受信する基地局の位置情報と携帯電話識別情報とを受信する手段と、受信した各々の携帯電話識別情報が同一である場合に、受信した前記携帯電話識別情報と前記位置情報とを関係付け位置情報データベースに登録する手段とを有する。【選択図】        図１
2007219567.tif 000002
【特許請求の範囲】
【請求項１】
２次元コードで表示されたＵＲＬを読み取る携帯電話から送信された情報に基づいて、前記携帯電話が存在する位置情報を収集する位置情報収集用サーバであって、
前記ＵＲＬに基づいて、前記携帯電話から送信されたＵＲＬ情報と携帯電話識別情報とを受信し、また前記携帯電話から発信された電波を受信する基地局の位置情報を管理する基地局情報管理サーバから、送信された基地局の位置情報と携帯電話識別情報とを受信する手段と、前記受信した各々の携帯電話識別情報が同一である場合に、受信した前記携帯電話識別情報と前記位置情報とを関係付けて位置情報データベースに登録する手段とを有することを特徴とする位置情報収集用サーバ。
【請求項２】
ＵＲＬが含まれる２次元コードが表示された媒体と、前記２次元コードを読み取る携帯電話と、前記携帯電話から発信された電波を受信して中継する基地局と、前記基地局が設置された位置情報を管理する基地局情報管理サーバと、前記ＵＲＬの運営サイトを有し、前記携帯電話が存在する位置情報を収集する位置情報収集用サーバとからなり、前記２次元コードで表示されたＵＲＬを読み取る携帯電話から送信された情報に基づいて、前記携帯電話が存在する位置情報を収集する位置情報収集システムであって、
前記基地局情報管理サーバは、前記携帯電話が送信した情報を中継した基地局から基地局特定情報と携帯電話識別情報とを受信する手段と、前記基地局特定情報から該基地局の位置情報を抽出する手段と、前記抽出された位置情報と前記携帯電話識別情報とを前記位置情報収集用サーバに送信する手段とを有し、
前記位置情報収集用サーバは、前記ＵＲＬに基づいて、前記携帯電話から送信されたＵＲＬ情報と携帯電話識別情報とを前記基地局情報管理サーバから受信する手段と、前記携帯電話から発信された電波を受信する基地局の位置情報と携帯電話識別情報とを受信する手段と、前記受信した各々の携帯電話識別情報が同一である場合に、受信した前記携帯電話識別情報と前記位置情報とを関係付けて位置情報データベースに登録する手段とを有することを特徴とする位置情報収集システム。
【請求項３】
前記位置情報収集用サーバは、前記ＵＲＬでアクセスされるホームページと、前記基地局情報管理サーバから受信した基地局の位置情報に基づいて、前記ホームページで提供される情報の中から前記基地局の位置情報の位置ともっとも近い場所に設置されている店舗情報を抽出し、前記携帯電話に対して該店舗情報を送信する手段とを有していることを特徴とする請求項２記載の位置情報収集システム。
【発明の詳細な説明】
【技術分野】
【０００１】
本発明は、２次元コードで表示されたＵＲＬを読み取る携帯電話から送信された情報に基づいて、前記携帯電話が存在する位置情報を収集する位置情報収集用サーバ及び位置情報収集システムに関する。
【背景技術】
【０００２】
従来、新聞、雑誌、ポスター、チラシなどの広告媒体において、携帯電話に備えられた２次元コードリーダで読み取り可能なＱＲコードなどの２次元コードを表示しておき、利用者が携帯電話を利用して簡単にアクセスすることができる情報提供サービスが行われている。
これらの情報提供サービスは、表示された２次元コードにＷｅｂサイトの広告ページのＵＲＬなどをエンコードさせておくことで、携帯電話によりその２次元コードの読み取りを行うことで、ＵＲＬを携帯電話に取り込み、携帯電話の表示画面に表示されたＵＲＬを選択して、決定ボタンを押すことでＷｅｂサイトの広告ページにアクセスできるようにしてある。（例えば、特許文献１参照）
【０００３】
【特許文献１】特開２００５−２６７４２１号公報
【０００４】
上記のような２次元コードと携帯電話を利用した情報提供システムは、利用者が簡単な操作で短時間に処理できると共に、広告主にとってもアクセス状況の確認により広告効果を短時間で検証することができるという利点があり、また今後における携帯電話利用者の増大も期待できることから、今後もこのようなシステムの利用が増えると予想される。
【０００５】
このような２次元コードと携帯電話を利用した情報提供システムは、例えば、日本各地に複数の店舗を有する小売流通会社が、店舗の情報を利用者に提供する場合にも有効である。
しかしながら、従来の携帯電話を利用した情報提供システムでは、携帯電話により２次元コードの読み取りを行った利用者の居場所つまり利用者の存在位置を知ることが出来ないために、利用者が存在している位置に関係なく、全ての利用者に対して予め設定された共通の情報を提供することとなり、個々の利用者の存在位置に応じた店舗情報を選択して送信できないという問題がある。
したがって、利用者は、共通の広告ページの中から自身が存在している居場所にもっとも近い場所にある店舗情報を選択する操作を行わなければならず煩わしいという問題がある。
【発明の開示】
【発明が解決しようとする課題】
【０００６】
本発明は、ＵＲＬが含まれる２次元コードが表示された媒体から、携帯電話によりその２次元コードの読み取りを行い、ネットワークを介してサーバにアクセスし、更にサーバから携帯電話に情報の提供を行うシステムにおいて、携帯電話で２次元コードの読み取りを行った位置の位置情報をサーバ側で収集できるようにすると共に、個々の利用者に対してその存在場所に応じた情報を選択して送信することで、適切な広告情報を利用者に送信できるようにした位置情報収集用サーバ及び位置情報収集システムを提供する。
【課題を解決するための手段】
【０００７】
本発明の位置情報収集用サーバは、２次元コードで表示されたＵＲＬを読み取る携帯電話から送信された情報に基づいて、前記携帯電話が存在する位置情報を収集する位置情報収集用サーバであって、前記ＵＲＬに基づいて、前記携帯電話から送信されたＵＲＬ情報と携帯電話識別情報とを受信し、また前記携帯電話から発信された電波を受信する基地局の位置情報を管理する基地局情報管理サーバから、送信された基地局の位置情報と携帯電話識別情報とを受信する手段と、前記受信した各々の携帯電話識別情報が同一である場合に、受信した前記携帯電話識別情報と前記位置情報とを関係付けて位置情報データベースに登録する手段とを有することを特徴とする。
【０００８】
また、本発明の位置情報収集システムは、ＵＲＬが含まれる２次元コードが表示された媒体と、前記２次元コードを読み取る携帯電話と、前記携帯電話から発信された電波を受信して中継する基地局と、前記基地局が設置された位置情報を管理する基地局情報管理サーバと、前記ＵＲＬの運営サイトを有し、前記携帯電話が存在する位置情報を収集する位置情報収集用サーバとからなり、前記２次元コードで表示されたＵＲＬを読み取る携帯電話から送信された情報に基づいて、前記携帯電話が存在する位置情報を収集する位置情報収集システムであって、前記基地局情報管理サーバは、前記携帯電話が送信した情報を中継した基地局から基地局特定情報と携帯電話識別情報とを受信する手段と、前記基地局特定情報から該基地局の位置情報を抽出する手段と、前記抽出された位置情報と前記携帯電話識別情報とを前記位置情報収集用サーバに送信する手段とを有し、前記位置情報収集用サーバは、前記ＵＲＬに基づいて、前記携帯電話から送信されたＵＲＬ情報と携帯電話識別情報とを前記基地局情報管理サーバから受信する手段と、前記携帯電話から発信された電波を受信する基地局の位置情報と携帯電話識別情報とを受信する手段と、前記受信した各々の携帯電話識別情報が同一である場合に、受信した前記携帯電話識別情報と前記位置情報とを関係付けて位置情報データベースに登録する手段とを有することを特徴とする。
【０００９】
更に、本発明の位置情報収集システムは、前記位置情報収集用サーバは、前記ＵＲＬでアクセスされるホームページと、前記基地局情報管理サーバから受信した基地局の位置情報に基づいて、前記ホームページで提供される情報の中から前記基地局の位置情報の位置ともっとも近い場所に設置されている店舗情報を抽出し、前記携帯電話に対して該店舗情報を送信する手段とを有していることを特徴とする。
【発明の効果】
【００１０】
したがって、本発明の位置情報収集用サーバは、受信した携帯電話識別情報と、２次元コードで表示されたＵＲＬの読み取った携帯電話の位置情報とを関係付けて位置情報データベースに登録する手段を有しているので、携帯電話の利用者の存在位置情報を簡単に収集することができるという効果がある。
【００１１】
また、本発明の位置情報収集システムは、基地局情報管理サーバから位置情報収集用サーバに対して、携帯電話が送信した情報を中継した基地局の位置情報及び携帯電話識別情報が送信され、位置情報収集用サーバで受信した位置情報と携帯電話識別情報とを関係付けて位置情報データベースに登録するので、携帯電話の利用者の存在位置情報をサーバ側で簡単に収集することができるという効果がある。
【００１２】
更に、本発明の位置情報収集システムは、ホームページで提供される情報の中から基地局の位置情報の位置ともっとも近い場所に設置されている店舗情報を抽出し、携帯電話に対して該店舗情報を送信する手段を有しているので、個々の利用者に対してその存在場所に応じた適切な広告情報を提供することができるという効果がある。
【発明を実施するための最良の形態】
【００１３】
以下、本発明の実施形態に係る位置情報収集用サーバ及び位置情報収集システムを図面に基づいて詳細に説明する。
図１は、本発明の実施形態に係る位置情報収集システムの概略図、図２は、本発明の実施形態に係る位置情報収集システムにおいて、基地局情報データベースの登録情報を示す図、図３は、本発明の実施形態に係る位置情報収集システムにおいて、位置情報データベースの登録情報を示す図、図４は、本発明の実施形態に係る位置情報収集システムにおいて、情報の流れを説明する概略図、図５は、本発明の実施形態に係る位置情報収集システムの処理手順を示すフローチャート図である。
【００１４】
まず、本発明の実施形態に係る位置情報収集システムの概要を図１に基づいて説明する。
例えば、新聞折り込みチラシなどの広告媒体１には、ＱＲコードなどの２次元コード２が表示されている。
この２次元コード２には、インターネット上のＷｅｂサイトにある広告ページのＵＲＬなどがエンコードされている。
そして、携帯電話３により２次元コード２の読み取りを行うことで、ＵＲＬを携帯電話３に取り込み、携帯電話３の表示画面に表示されたＵＲＬを選択して、決定ボタンを押すことでＷｅｂサイトの広告ページにアクセスできるようにしてある。
【００１５】
携帯電話３から発信された電波は、携帯電話３が存在している場所に対し最寄に設置されている基地局４で受信して中継され、そして携帯電話通信網５を介して交換局６に送られ、更に通信ネットワーク７を介してＷｅｂサイトを有する位置情報収集用サーバ８へと送信される。
また、交換局６は、通信ネットワーク７を介して、交換局６を管理する通信会社等に設置されている位置情報収集用サーバ８と、またインターネット上のＷｅｂサイトにある広告ページを管理する基地局情報管理サーバ９とにそれぞれ通信可能に接続されている。
【００１６】
交換局６を管理する通信会社等に設置されている基地局情報管理サーバ９は、各地に設置されている複数の基地局４に関する設置位置の位置情報が登録された基地局情報データベース１０を有している。
この基地局情報データベース１０に登録されている情報としては、図２に示すように、基地局特定情報である基地局管理番号１２と関係付けられて、各基地局が設置されている基地局位置情報１３（又は場所情報）と各基地局ごとの受信エリア１４などが登録されている。
これらの基地局４は、その基地局を中心として一定の地域エリアにおいて、携帯電話３から発信された電波を最寄の基地局が受信することで、電波を受信した基地局が特定され、その設置された位置がわかれば、携帯電話３が存在している位置も特定することが可能となっている。
【００１７】
そして、基地局４は、携帯電話３から発信された電波を受信した際に、基地局４から基地局情報管理サーバ９に対して、携帯電話識別情報と基地局特定情報である基地局管理番号とを送信する機能を有している。
ここで言う携帯電話識別情報とは、例えば携帯電話番号などである。
基地局情報管理サーバ９は、携帯電話３が送信した情報を中継した基地局４から基地局特定情報である基地局管理番号と携帯電話識別情報とを受信する手段と、前記基地局特定情報である基地局管理番号から該基地局の位置情報を抽出する手段と、前記抽出された位置情報と前記携帯電話識別情報とを位置情報収集用サーバ８に送信する手段とを有している。
これにより、基地局４が携帯電話３から送信された情報を受信した際に、その基地局４に関する位置情報を、基地局情報管理サーバ９から位置情報収集用サーバ８へと送信して、その携帯電話３の存在位置を知らせることができるようにシステム化されている。
尚、基地局情報管理サーバ９から位置情報収集用サーバ８へ基地局４に関する位置情報を送信する際に、同時にその携帯電話を識別することが可能な携帯電話識別情報も位置情報収集用サーバ８へ送信することで、携帯電話の特定ができるようにしてある。
【００１８】
また、位置情報収集用サーバ８には、ＵＲＬに基づいて、携帯電話３から送信されたＵＲＬ情報と携帯電話識別情報とを基地局情報管理サーバ９から受信する手段と、携帯電話３から発信された電波を受信する基地局の位置情報と携帯電話識別情報とを受信する手段と、その受信した各々の携帯電話識別情報が同一である場合に、受信した携帯電話識別情報と位置情報とを関係付けて位置情報データベース１１に登録する手段と、ホームページの情報が登録されているホームページデータベース２０と、ホームページデータベース２０に登録されている情報を携帯電話３に対して送信するホームページ情報送信手段とを有している。
【００１９】
位置情報収集用サーバ８の位置情報データベース１１に登録される情報としては、図３に示すように、利用者の管理番号１５、利用者の氏名１６、携帯電話番号等の携帯電話別情報１７、基地局位置情報１８、電波受信エリア１９などが登録される。
基地局位置情報１８は、基地局が設けられている住所が登録されている。
また、電波受信エリア１９は、基地局毎に電波を受信可能な地域情報が登録されている。
この位置情報データベース１１の登録情報から、携帯電話３が利用された際に、どこに設置された基地局が携帯電話３から発信された電波を受信したのかがわかり、またその携帯電話３の利用者が存在している位置がわかるので、その位置に応じて最寄の店舗情報を選択して、位置情報収集用サーバ８から携帯電話３に店舗情報を配信するなどの適切な対応を図ることができる。
【００２０】
次に、本発明の実施形態に係る位置情報収集システムに関する処理手順を、図４と図５に基づいて説明する。
まず、利用者が、広告媒体１に表示されているＱＲコードなどの２次元コード２を、携帯電話３の２次元コードリーダにより読み取り、携帯電話３の表示画面に表示されたＵＲＬを選択して、決定ボタンを押す。（ステップ１）
これにより、携帯電話３から携帯電話識別情報とＵＲＬ情報とが送信されて、最寄の基地局４がそれらの情報を受信する。（ステップ２）
【００２１】
その後、最寄の基地局４から位置情報収集用サーバ８に対して、携帯電話識別情報とＵＲＬ情報とが送信される。（ステップ３）
更に、最寄の基地局４から基地局情報管理サーバ９に対して、携帯電話識別情報と基地局管理番号を送信する。（ステップ４）
上記ステップ３とステップ４の処理の順番は、どちらが先に行ってもよい。
【００２２】
基地局４から携帯電話識別情報と基地局管理番号とを受信した基地局情報管理サーバ９は、基地局情報データベース１０の登録情報において、受信した基地局管理番号と関係付けられて登録されている基地局が設置されている位置情報（又は場所情報）の抽出処理を行う。（ステップ５）
そして、次に基地局情報管理サーバ９から位置情報収集用サーバ８に対して、携帯電話識別情報と、基地局情報データベース１０から抽出された基地局の位置情報と送信する。（ステップ６）
【００２３】
その後、位置情報収集用サーバ８において、基地局情報管理サーバ９から受信した基地局の位置情報と携帯電話識別情報と、また既に基地局情報管理サーバ９が基地局４から受信されているＵＲＬ情報と携帯電話識別情報とに基づいて、それぞれ受信した携帯電話識別情報同士が一致している場合に、受信した携帯電話識別情報と基地局の位置情報とＵＲＬ情報とを関係付けて位置情報データベース１１に登録させる。（ステップ７）
これにより、位置情報データベース１１に、ＵＲＬ情報を送信した携帯電話の携帯電話識別情報と基地局の位置情報とＵＲＬ情報とが関係付けられて登録されるので、これらの登録情報を確認することで、ＵＲＬ情報を送信した携帯電話が、どこの位置に存在しているのか特定できるようにしてある。
【００２４】
次に、位置情報収集用サーバ８において、受信したＵＲＬ情報と基地局の位置情報から、ホームページデータベース２０の広告ページ情報の中からその基地局の位置ともっとも近い位置にある店舗情報を選択して携帯電話に送信する。（ステップ８）
そして携帯電話３は、位置情報収集用サーバ８から受信した広告ページ情報をディスプレイに表示させることで情報の提供を行う。（ステップ９）
以上の処理により、携帯電話３で２次元コードの読み取りを行った位置情報を位置情報収集用サーバ８で収集でき、更に収集したこれらの位置情報を持ちて、個々の利用者に対してその存在場所に応じた適切な情報を選択して送信できるようにしてある。
【図面の簡単な説明】
【００２５】
【図１】本発明の実施形態に係る位置情報収集システムの概略図である。
【図２】本発明の実施形態に係る位置情報収集システムにおいて、基地局情報データベースの登録情報を示す図である。
【図３】本発明の実施形態に係る位置情報収集システムにおいて、位置情報データベースの登録情報を示す図である。
【図４】本発明の実施形態に係る位置情報収集システムにおいて、情報の流れを説明する概略図である。
【図５】本発明の実施形態に係る位置情報収集システムの処理手順を示すフローチャート図である。
【符号の説明】
【００２６】
１  広告媒体
２  ２次元コード
３  携帯電話
４  基地局
５  携帯電話通信網
６  交換局
７  通信ネットワーク
８  位置情報収集用サーバ
９  基地局情報管理サーバ
１０  基地局情報データベース
１１  位置情報データベース
１２  基地局管理番号
１３  基地局位置情報
１４  受信エリア
１５  利用者の管理番号
１６  利用者の氏名
１７  携帯電話別情報
１８  基地局位置情報
１９  電波受信エリア
２０  ホームページデータベース
【図１】
2007219567.tif 000003
【図２】
2007219567.tif 000004
【図３】
2007219567.tif 000005
【図４】
2007219567.tif 000006
【図５】
2007219567.tif 000007